(57)【特許請求の範囲】
【請求項１】
ミッションケースの一側端部に設けられた開口部から先端部が進退自在に配設されているシリンダロッドに上刃及び下刃が連結され、クランク機構の動作によって前記上刃及び下刃の少なくとも一方が往復運動するレシプロ型刈払機であって、
前記ミッションケースの一側端部側に設けられている開口部が前記シリンダロッドの先端部に摺動自在に密接するパッキン及びオイルシールの防水部材によって閉塞されていることを特徴とするレシプロ型刈払機。
【発明の詳細な説明】
【０００１】
【発明の属する技術分野】
本発明は、ミッションケースを密閉構造とすることにより、水中の草等を水を気にせずに刈り取ることができるレシプロ型刈払機に関する。
【０００２】
【従来の技術】
従来より、刈払機には、肩掛式や背負式等のように様々なタイプのものがあり、いずれもエンジン等からの駆動力により刈刃ユニットを駆動させる構成がとられている。また、刈刃ユニットとしては、上下二枚の刈刃が相対的に移動するレシプロ型やロータリ刃を高速回転させる回転刃型等がある。
【０００３】
図１５は、肩掛式であるレシプロ型の刈払機を示すものであり、エンジン１からの駆動力が操作主杆２の内部に回転自在に挿通されている図示しない駆動軸によって刈刃ユニット４Ａ側に伝達されるようになっている。刈刃ユニット４Ａには、駆動軸の回転運動を直線運動に変換するクランク機構が内蔵されたミッションケース３と、クランク機構によって直線運動に変換された駆動力により往復駆動を行う上下一対の刈刃４とが設けられている。
【０００４】
図１６は、ミッションケース３の内部構成を示すものであり、駆動軸５に取り付けられている傘歯車５ａが回転することにより、傘歯車６ａを介して主軸６が回転し、主軸６に取り付けられているクランク機構を構成するカム７のカム部７ａ，７ｂが回転し、クランク杆８ａ，８ｂを交互に直線運動させ、上刃８ｕ及び下刃８ｄを往復駆動させる。このとき、上刃８ｕ及び下刃８ｄがボルト９ａ及びナット９ｂによって締結されている支持ガイド９ｕ及び下刃９ｄに沿って移動する際、一定した軌跡及び一定の間隔で往復駆動することにより、雑草等が刈り取られるようになっている。
【０００５】
【発明が解決しようとする課題】
ところで、上述したレシプロ型の刈払機の場合、上刃８ｕ及び下刃８ｄに往復駆動を与えるクランク杆８ａ，８ｂをミッションケース３の一側部に形成した開口３ａから外部に突き出し、その露出部分に上刃８ｕ及び下刃８ｄを連結する構成がとられている。
【０００６】
そのため、たとえば水中の雑草等を刈り取ろうとした場合、その開口３ａからミッションケース３内部に水が侵入し、ミッションケース３内部の各構成部材に錆が発生したり、それぞれの部材に塗布しているグリスが漏れ出てしまったりする等の不具合が発生してしまう。
【０００７】
本発明は、ミッションケースを密閉構造とすることにより、水中の雑草等の刈り取り作業をも行うことができるレシプロ型刈払機を提供することを目的とする。
【０００８】
【課題を解決するための手段】
本発明は、上記目的を達成するために、ミッションケースの一側端部に設けられた開口部から先端部が進退自在に配設されているシリンダロッドに上刃及び下刃が連結され、クランク機構の動作によって前記上刃及び下刃の少なくとも一方が往復運動するレシプロ型刈払機であって、前記ミッションケースの一側端部側に設けられている開口部が前記シリンダロッドの先端部に摺動自在に密接するパッキン及びオイルシールの防水部材によって閉塞されていることを特徴とする。
【０００９】
【作用】
本発明のレシプロ型刈払機では、上刃及び下刃に連結されるシリンダロッドの先端部を進退自在とするミッションケースの一側端部に設けられた開口部を、シリンダロッドの先端部に摺動自在に密接するパッキン及びオイルシールの防水部材によって閉塞するようにしたので、ミッションケース内部の気密性を維持することができる。
【００１０】
【発明の実施の形態】
以下、本発明の実施の形態を図面に基づいて説明する。
図１乃至図３は、本発明のレシプロ型刈払機の一実施の形態に係る刈刃ユニットを示すものである。
【００１１】
これらの図に示すように、刈刃ユニットのミッションケース１０は、上ケース２０及び下ケース３０で構成されている。上ケース２０の後端部側には、フランジ１１によって覆われるように配設されたクラッチドラム３０ａが設けられている。このクラッチドラム３０ａには、図示しないエンジンからの駆動力を伝達する駆動軸からの動力が伝達されるようになっている。クラッチドラム３０ａの中心部には、ボールベアリング３３ａにより回転自在に支持されたピニオンシャフト３２ａがナット３１ａを介して連結されている。
【００１２】
ピニオンシャフト３２ａの略中心に取り付けられているピニオン３４ａは、クランク機構を構成するクランクギヤ（平ギヤ）４０のギヤ部に噛み合っている。クランクギヤ（平ギヤ）４０の上下面には、このクランクギヤ（平ギヤ）４０の中心位置に設けられているとともに、ボールベアリング４４によって回転自在に支持された支持軸４３に対して偏位するように円形状の突起４１，４２が設けられている。ここで、円形状の突起４１，４２は、位相が互いに１８０度ずらされており、後述するシリンダロッド５０，５１の直線運動を交互に行わせるようになっている。
【００１３】
各円形状の突起４１，４２には、ニードルベアリング４５を介してクランクロッド４６，４７のリング部４６ａ，４７ａが取り付けられている。各クランクロッド４６，４７の先端部に設けられている孔４８には、シリンダロッド５０，５１の係合ピン５２が回動自在に係合されている。そして、クランクギヤ（平ギヤ）４０の回転に伴い、位相が互いに１８０度ずらされた突起４１，４２が支持軸４３の周りを回転することによって、クランクロッド４６，４７に連結されたシリンダロッド５０，５１が交互に直線運動を行うようになっている。
【００１４】
各シリンダロッド５０，５１は、上ケース２０及び下ケース３０の先端側の内部に配設されているドライブブッシュ６０、Ｏリング，パッキン等のシール６１、ダストオイルシール６２に摺接しつつ上ケース２０及び下ケース３０の開口部２１，３１に対して交互に進退自在とされている。また、これらシリンダロッド５０，５１が交互に進退動作を行うとき、それぞれの開口部２１，３１がドライブブッシュ６０、Ｏリング，パッキン等のシール６１、ダストオイルシール６２によって密閉されるため、各上ケース２０及び下ケース３０内部の密閉状態が維持されることから、防水効果が高められるようになっている。
【００１５】
各シリンダロッド５０，５１の先端面には、図４に示すように、ボルト５３によって上刃７０及び下刃７１のフランジ部７２が取り付けられるようになっている。また、各上刃７０及び下刃７１は、上ケース２０及び下ケース３０の側面に図示しないボルトによって取り付けられているガイド板８０，８１によって挟み込まれた状態で摺動自在に保持されている。
【００１６】
なお、各シリンダロッド５０，５１と上刃７０及び下刃７１との連結構造にあっては、たとえば図５に示すように、それぞれのシリンダロッド５０，５１の先端部にこれらシリンダロッド５０，５１の軸方向に切り欠いた取付け部５４を設けるとともに、この部分にボルト５３によって上刃７０及び下刃７１の端部を固定するようにしてもよい。この場合、上刃７０及び下刃７１の移動方向に対してボルト５３による取付けが直交する方向とされるため、シリンダロッド５０，５１と上刃７０及び下刃７１との連結がより強固に行われる。
【００１７】
また、上記のドライブブッシュ６０、Ｏリング，パッキン等のシール６１、ダストオイルシール６２の配設構造にあっては、上述した上ケース２０及び下ケース３０の先端側の内部に限らず、たとえば図６及び図７に示すように、シリンダロッド５０，５１の胴体部にドライブブッシュ６０、Ｏリング，パッキン等のシール６１、ダストオイルシール６２を配設した筒体６３を摺動自在に取り付けるとともに、各シリンダロッド５０，５１の端部の連結部６４をコ字形状としたユニット化としてもよく、この場合には、係止ピン６５の装着によって各クランクロッド４６，４７の先端部の孔４８にワンタッチで取り付けることができるので、各シリンダロッド５０，５１の交換を容易に行うことができる。
【００１８】
更に、筒体６３の形状にあっては、円柱状のものに限らず、たとえば図８に示すように角柱状のものであってもよい。
【００１９】
更にまた、以上のような構成の刈刃ユニットのミッションケース１０は、たとえば図９及び図１０に示すようなハンディータイプの草刈機に採用してもよい。また、図１１に示すようなエンジンを背中に背負う形態をとる背負型のものや、図１２に示すような短ショルダータイプのもに、更には図１３に示すショルダータイプのものや、図１４に示す背負いタイプのものに採用してもよい。
【００２０】
いずれにしても、ミッションケース１０は、上述したように、ドライブブッシュ６０、Ｏリング，パッキン等のシール６１、ダストオイルシール６２によって各上ケース２０及び下ケース３０内部が密閉され、防水効果が高められるようになっているため、水中の草等を刈る場合であっても、水を気にせずに作業を行うことが可能となる。
【００２１】
続いて、以上のような構成の刈刃ユニットの動作について説明する。
まず、エンジンからの駆動力を受けて上ケース２０の後端部側に設けられているクラッチドラム３０ａが回転すると、ピニオンシャフト３２ａが回転し、ピニオンシャフト３２ａのピニオン３４ａに噛み合うクランクギヤ（平ギヤ）４０が回転する。
【００２２】
クランクギヤ（平ギヤ）４０の回転によって、クランクギヤ（平ギヤ）４０の上下面に設けられている円形状の突起４１，４２が支持軸４３の周りを回転すると、これらの突起４１，４２に嵌り込んでいるリング部４６ａ，４７ａを介してクランクロッド４６，４７が交互に直線運動を行うことにより、係合ピン５２を介してそれぞれのクランクロッド４６，４７に取り付けられているシリンダロッド５０，５１が開口部２１，３１に対して交互に進退動作を行う。
【００２３】
このとき、各シリンダロッド５０，５１は、上述したように、上ケース２０及び下ケース３０の先端部側の内部に配設されているドライブブッシュ６０、Ｏリング，パッキン等のシール６１、ダストオイルシール６２に対し摺接しつつ進退動作を行うため、それぞれの開口部２１，３１がドライブブッシュ６０、Ｏリング，パッキン等のシール６１、ダストオイルシール６２によって密閉され、各上ケース２０及び下ケース３０内部の密閉状態が維持されることから、防水効果が高められている。
【００２４】
そして、各シリンダロッド５０，５１の先端面にボルト５３によって取り付けられている上刃７０及び下刃７１が交互に直線運動を行うことにより、草等が刈り取られるが、たとえば水中の草等を刈り取る場合、上刃７０及び下刃７１を水につけて作業を行った場合であっても、ミッションケース１０内部の防水効果が高められていることから、水を気にせずに作業を行うことができる。
【００２５】
このとき、各上刃７０及び下刃７１は、ガイド板８０，８１によって挟み込まれた状態で摺動自在に保持されているため、相互の間隔が一定に保たれた状態で互いに逆向きに進退動作を行う。
【００２６】
このように、本実施の形態では、上刃７０及び下刃７１に連結されるシリンダロッド５０，５１の先端部を進退自在とするミッションケース１０の一側端部に設けられた開口部２１，３１を、シリンダロッド５０，５１の先端部に摺動自在に接するドライブブッシュ６０、Ｏリング，パッキン等のシール６１、ダストオイルシール６２によって閉塞し、ミッションケース１０内部の気密性を維持するようにしたので、従来問題となっていたミッションケース内部への水の侵入によって、ミッションケース内部の各構成部材に錆が発生したり、それぞれの部材に塗布しているグリスが漏れ出てしまったりする等の不具合が解消されることから、水中の草等の刈り取り作業をも行うことができる。
【００２７】
なお、本実施の形態では、上刃７０及び下刃７１を交互に往復させる場合について説明したが、この例に限らず、上刃７０又は下刃７１の何れか一方を往復させ、他方を固定させる方式を採用してもよい。
【００２８】
【発明の効果】
以上説明したように、本発明のレシプロ型刈払機によれば、上刃及び下刃に連結されるシリンダロッドの先端部を進退自在とするミッションケースの一側端部に設けられた開口部を、シリンダロッドの先端部に摺動自在に密接するパッキン及びオイルシールの防水部材によって閉塞し、ミッションケース内部の気密性を維持するようにしたので、水中の雑草等の刈り取り作業をも行うことができる。
【図面の簡単な説明】
【図１】本発明のレシプロ型刈払機の一実施の形態に係る刈刃ユニットを示す斜視図である。
【図２】図１のミッションケースの内部構成を示す断面図である。
【図３】図１のミッションケースに内蔵されているクランク機構を示す斜視図である。
【図４】図２のシリンダロッドと刈刃との連結構造を示す斜視図である。
【図５】図４のシリンダロッドと刈刃との連結構造を変えた場合の他の実施の形態を示す斜視図である。
【図６】図２のシリンダロッドをユニット化した場合を説明するための断面図である。
【図７】図６のユニット化したシリンダロッドを示す斜視図である。
【図８】図７の円柱状の筒体を角柱状にした場合を示す斜視図である。
【図９】図１のミッションケースをハンディータイプの草刈機に適用した場合の斜視図である。
【図１０】図１のミッションケースを他のハンディータイプの草刈機に適用した場合の斜視図である。
【図１１】図１のミッションケースを背負式の草刈機に適用した場合の斜視図である。
【図１２】図１のミッションケースを肩掛式の草刈機に適用した場合の斜視図である。
【図１３】図１のミッションケースを他の肩掛式の草刈機に適用した場合の斜視図である。
【図１４】図１のミッションケースを他の背負式の草刈機に適用した場合の斜視図である。
【図１５】従来の肩掛式であるレシプロ型の刈払機を示す斜視図である。
【図１６】図１５のミッションケースの内部構成を示す断面図である。
【符号の説明】
１０  ミッションケース
２０  上ケース
３０  下ケース
３０ａ  クラッチドラム
３２ａ  ピニオンシャフト
４０  クランクギヤ（平ギヤ）
４１，４２  突起
４５  ニードルベアリング
４６，４７  クランクロッド
５０，５１  シリンダロッド
６０  ドライブブッシュ
６１  Ｏリング，パッキン等のシール
６２  ダストオイルシール
７０  上刃
７１  下刃
８０，８１  ガイド板
【図１】
0003782143.tif 000002
【図２】
0003782143.tif 000003
【図３】
0003782143.tif 000004
【図４】
0003782143.tif 000005
【図５】
0003782143.tif 000006
【図６】
0003782143.tif 000007
【図７】
0003782143.tif 000008
【図８】
0003782143.tif 000009
【図９】
0003782143.tif 000010
【図１０】
0003782143.tif 000011
【図１１】
0003782143.tif 000012
【図１２】
0003782143.tif 000013
【図１３】
0003782143.tif 000014
【図１４】
0003782143.tif 000015
【図１５】
0003782143.tif 000016
【図１６】
0003782143.tif 000017